(57)【特許請求の範囲】
【請求項１】
外側導体部品（１２）と内側導体部品（１４）とを有し、前記内側導体部品（１４）は、同軸ケーブルの内側導体部品（２０）との機械および電気接続のための締結要素（１８）を備え、前記外側導体部品（１２）は、前記同軸ケーブルが配設されるケーブル側端部（２２）と、装着された前記同軸ケーブルの長手軸（２６）により横断される、前記ケーブル側端部（２２）とは反対側の前面（２４）とを備え、点検口（２８）が、前記内側導体部品（１４）の前記締結要素（１８）への前記同軸ケーブルの前記内側導体部品（２０）の装着の後、前記内側導体部品（１４）の前記締結要素（１８）が見えるように前記外側導体部品（１２）に配設および設計され、前記点検口（２８）を閉じるためのカバー部品（３０）が、前記外側導体部品（１２）と一体に設計されるＨＦアングルプラグコネクタにおいて、
前記点検口（２８）が前記外側導体部品（１２）の前記前面（２４）に設計されることを特徴とするＨＦアングルプラグコネクタ。
【請求項２】
請求項１に記載のＨＦアングルプラグコネクタにおいて、
コーディングハウジング（１６）は、前記外側導体部品（１２）に対して回転可能となるように前記外側導体部品（１２）に配設されることを特徴とするＨＦアングルプラグコネクタ。
【請求項３】
請求項２に記載のＨＦアングルプラグコネクタにおいて、
相補的ＨＦプラグコネクタのための機械的コーディングが、前記コーディングハウジング（１６）に形成されることを特徴とするＨＦアングルプラグコネクタ。
【請求項４】
請求項２又は請求項３に記載のＨＦアングルプラグコネクタにおいて、
前記コーディングハウジング（１６）は、ＤＩＮ規格７２５９４‐１：２００４‐１０「路上走行車‐５０オーム高周波インタフェース（５０‐Ω‐ＨＦＳＳｔ）‐第１部：寸法および電気的要件」「３．寸法およびコーディング」節、図１〜３に従った機械的寸法を、インタフェース領域に有することを特徴とするＨＦアングルプラグコネクタ。
【請求項５】
請求項２から請求項４の少なくとも１項に記載のＨＦアングルプラグコネクタにおいて、
前記コーディングハウジング（１６）は、ＤＩＮ規格７２５９４‐１：２００４‐１０「路上走行車‐５０オーム高周波インタフェース（５０‐Ω‐ＨＦＳＳｔ）‐第１部：寸法および電気的要件」「３．寸法およびコーディング」節、図４，５に従った機械的寸法を持つ機械的コーディングを、インタフェース領域に有することを特徴とするＨＦアングルプラグコネクタ。
【請求項６】
請求項２から請求項５の少なくとも１項に記載のＨＦアングルプラグコネクタにおいて、
前記コーディングハウジング（１６）は、プラグ接続状態において前記外側導体部品（１２）に対して自由に回転することができるように、前記外側導体部品（１２）に対する前記コーディングハウジング（１６）の所定角度位置を固定し、相補的プラグが前記コーディングハウジング（１６）にプラグ接続されたときに、ロック解除されるように配置、設計された弾性変形可能なスナップイン舌部（３２）を有することを特徴とするＨＦアングルプラグコネクタ。
【請求項７】
請求項２から請求項６の少なくとも１項に記載のＨＦアングルプラグコネクタにおいて、
前記コーディングハウジング（１６）は、相補的プラグコネクタのコーディングハウジングとの機械的ロックのためのロック要素（３４）を有することを特徴とするＨＦアングルプラグコネクタ。
【請求項８】
請求項７に記載のＨＦアングルプラグコネクタにおいて、
前記ロック要素（３４）に沿って移動するロッカーエクステンション（３６）が前記ロック要素（３４）に配設されることを特徴とするＨＦアングルプラグコネクタ。
【請求項９】
請求項７及び請求項８に記載のＨＦアングルプラグコネクタにおいて、
前記ロック要素（３４）は、ロッカーとして設計されることを特徴とするＨＦアングルプラグコネクタ。
【請求項１０】
請求項１から請求項９の少なくとも１項に記載のＨＦアングルプラグコネクタにおいて、
前記カバー部品は、前記点検口（２８）の端部で前記外側導体部品（１２）と一体に接続された少なくとも一つのフラップ（３０）を備えていることを特徴とするＨＦアングルプラグコネクタ。
【請求項１１】
請求項１から請求項１０の少なくとも１項に記載のＨＦアングルプラグコネクタにおいて、
前記カバー部品は、前記点検口（２８）の両端部に配設され、前記外側導体部品（１２）と一体的に接続された二つのフラップ（３０）を備え、各フラップ（３０）が前記点検口（２８）の大きさの半分であることを特徴とするＨＦアングルプラグコネクタ。
【請求項１２】
請求項１から請求項１１の少なくとも１項に記載のＨＦアングルプラグコネクタにおいて、
前記カバー部品（３０）と前記外側導体部品（１２）とは、同一材料で製造されることを特徴とするＨＦアングルプラグコネクタ。
【請求項１３】
請求項１から請求項１２のなくとも１項に記載のＨＦアングルプラグコネクタにおいて、
前記外側導体部品（１２）と前記カバー部品（３０）とは、打抜き曲げ部品として、一体に形成されることを特徴とするＨＦアングルプラグコネクタ。
【請求項１４】
請求項１から請求項１３の少なくとも１項に記載のＨＦアングルプラグコネクタにおいて、
前記点検口（２８）は、矩形状であることを特徴とするＨＦアングルプラグコネクタ。
【請求項１５】
請求項１から請求項１４の少なくとも１項に記載のＨＦアングルプラグコネクタにおいて、
前記外側導体部品（１２）の前記前面（２４）は、装着された前記同軸ケーブルの前記長手軸（２６）に対して直角に配設されることを特徴とするＨＦアングルプラグコネクタ。
【発明の詳細な説明】
【技術分野】
【０００１】
本発明は、外側導体部品と内側導体部品とを有し、内側導体部品は同軸ケーブルの内側導体への機械的および電気的接続のための締結要素を備え、前記外側導体部品は、同軸ケーブルが配設されるケーブル側端部と、装着された同軸ケーブルの長手軸により横断される、ケーブル側端部とは反対側の前面とを備え、点検口が、内側導体部品の締結要素への同軸ケーブルの内側導体部品の装着の後、内側導体部品の締結要素が見えるように外側導体部品に配設および設計され、点検口を閉じるためのカバー部品が、外側導体部品と一体に形成される、請求項１の前文に記載のＨＦアングルプラグコネクタに関連する。
【背景技術】
【０００２】
特許文献１には、収容されるプラグのためのコーディングハウジングとともに、同軸ケーブルのための接続手段が配設されたソケットハウジングを備えるＨＦアングルプラグコネクタが記載されている。コーディングハウジングは、同軸ケーブルが異なる方向に引き出すことができるように、異なる位置でソケットハウジングに接続される。
【０００３】
特許文献２には、ＳＭＢ接続のためのいわゆるＦＡＫＲＡ標準化方式（ＦＡＫＲＡ＝Ｆａｃｈｋｒｅｉｓ  Ａｕｔｏｍｏｂｉｔｅｃｈｎｉｋ）に従ったプラスチックハウジングを備える同軸プラグコネクタが開示されている。これは、プラグコネクタを保持および保護して、プラスチックハウジングを備える別のプラグコネクタとのプラグ接続のためにこれを予め配置するプラスチックハウジングを特徴とする。適合ハウジングのみが互いにプラグ接続されるように、ハウジングは付加的な機械的コーディングを有する。
【０００４】
ＦＡＫＲＡハウジングとも呼ばれる、このような同軸プラグコネクタのためのプラスチックハウジングは、データ伝送ケーブルのために自動車産業で使用される。これらのデータ伝送ケーブルは、通常、電気導体に基づく同軸ケーブルまたは類似のケーブルである。インタフェース領域、つまり二つのプラスチックハウジング間の機械的接続を生成するために、相補的プラグと相互作用を行うハウジングの軸方向区分における、このようなＦＡＫＲＡハウジングの機械的寸法は、２００４年１０月版のＤＩＮ規格７２５９４‐１に指定されている。上述したＤＩＮ規格７２５９４‐１の「路上走行車‐５０オーム高周波インタフェース（５０‐Ω‐ＨＦＳＳｔ）‐第１部：寸法および電気的要件」は、自動車との通信を保証する、路上走行車の高周波アプリケーション（５０‐Ω‐ＨＦＳＳｔ）のための５０オームインピーダンスを持つインタフェースのプラグおよびカプラーが規定されている。ここには寸法および電気の要件および性質が規定され、それらの互換性を保証している。全ての主要な自動車メーカーが、この規格に従って製造を行っている。同規格の内容は、自動車規格化委員会（ＦＡＫＲＡ）により規定される。
【０００５】
ＤＩＮの自動車規格化委員会（ＦＡＫＲＡ）は、自動車工学の分野における地域的、国内的、国際的な標準化についての利害関係を代表している。ＦＡＫＲＡの機能の範囲には、路上走行車が内燃エンジン、電動モータ、ハイブリッドドライブを装備しているかどうかに関係なく、ＤＩＮ７００１０に従った路上走行車（農業用トラクタは例外）の適合性、互換性、安全性に関するすべての規格を作成することが含まれる。ＦＡＫＲＡはまた、これらの路上走行車（行政および消防車両と救急車は例外）の付属品についての規格も作成する。また、上述した車両および付属品のすべての備品についての規格化に加えて、貨物用コンテナ（ＩＳＯコンテナ）の規格にも責任を負っている。規格化は、自動車の製造における合理化および品質に加えて、自動車の環境適合性も促進する。現状の技術および科学を反映して、車両および交通の安全性向上とともに製造者および消費者の利益にも貢献している。
【０００６】
特許文献３には、外側プラグ接点の背面に開口部を備え、同軸プラグに同軸ケーブルが装着された後で外側プラグ接点の開口部を密封するカバーが設けられた同軸プラグが開示されている。このカバーは、カバーセクションの形で外側プラグ接点に形成され、折れ曲がっている。
【先行技術文献】
【特許文献】
【０００７】
【特許文献１】独国特許出願（公開）第１９９  ３２  ９４２  Ａ１号明細書
【特許文献２】米国特許出願（公開）第２００３／０１７６１０４  Ａ１号明細書
【特許文献３】独国特許出願（翻訳）第６９４  ２７  ８９１  Ｔ２号明細書
【発明の概要】
【発明が解決しようとする課題】
【０００８】
本発明は、装着および電気的性質に関して上述のタイプのＨＦアングルプラグコネクタを改善するという問題に基づいている。
【課題を解決するための手段】
【０００９】
請求項１に記された特徴を持つ上述のタイプのＨＦアングルプラグコネクタを通じた本発明により、この問題が解決される。本発明の好都合な実施形態は、他の請求項に記載される。
【００１０】
本発明による、上述のタイプのＨＦアングルプラグコネクタにおいて、点検口が外側導体部品の前面に形成される。
【００１１】
このことは、特に高品質で、特に良好な電気シールド有効性が、点検口の領域でも達成されるという長所を持つ。
【００１２】
点検口は、例えばカバー部品を曲げることにより、同軸ケーブルがＨＦプラグコネクタに接続された後で簡単に密閉させることができる。
【００１３】
好適な実施形態では、コーディングハウジングは、外側導体部品に対して回転することができるように、外側導体部品に配設される。相補的なＨＦプラグコネクタのための機械的コーディングが、コーディングハウジングに形成される。
【００１４】
コーディングハウジングは、ＤＩＮ規格７２５９４‐１：２００４‐１０「路上走行車‐５０オーム高周波インタフェース（５０‐Ω‐ＨＦＳＳｔ）‐第１部：寸法および電気的要件」「３．寸法およびコーディング」節、図１から３に従った機械的寸法を、インタフェース領域に持つことが好ましい。
【００１５】
コーディングハウジングは、ＤＩＮ規格７２５９４‐１：２００４‐１０「路上走行車‐５０オーム高周波インタフェース（５０‐Ω‐ＨＦＳＳｔ）‐第１部：寸法および電気的要件」「３．寸法およびコーディング」節、図４，５に従った機械的寸法を持つ機械的コーディングを、インタフェース領域に有することが好ましい。
【００１６】
コーディングハウジングの規定及び固定された位置決めは、固定は相補的プラグコネクタがプラグ接続された後可能となるが、コーディングハウジングはプラグ接続状態において外側導体部品に対して自由に回転することができるように、外側導体部品に対するコーディングハウジングの所定角度位置を固定し、相補的プラグがコーディングハウジングにプラグ接続されたときに、ロック解除されるように配設、設計された弾性変形可能なスナップイン舌部を有することで達成される。
【００１７】
プラグインされた相補的プラグコネクタの確実な機械的接続を可能にするため、コーディングハウジングは、相補的プラグコネクタのコーディングハウジングとの機械的ロックのためのロック要素を有する。任意であるが、ロック要素に沿って移動できるエクステンション要素がロック要素に配設される。ロック要素は、例えばロッカーとして設計される。
【００１８】
好適な実施形態において、カバー部品は、点検口の一端部で外側導体部品と一体的に接続される少なくとも一つのフラップを備える。
【００１９】
特に好適な実施形態において、カバー部品は、点検口の両端部に配設され、外側導体部品と一体的に接続される二つのフラップを備え、各フラップは点検口の大きさの半分である。
【００２０】
カバー部品と外側導体部品とが同一の材料で製造されることが実用的である。
【００２１】
特にシールド効率に関して、製造および装着が特に経済的となる、良好な電気的性質を備えたＨＦアングルプラグコネクタは、外側導体部品とカバー部品とが穿孔曲げ部品として一体に形成されることで達成される。
【００２２】
点検口が矩形状であることが実用的である。
【００２３】
好適な実施形態において、外側導体部品の前面は、装着される同軸ケーブルの長手軸に対して直角に配設される。
【図面の簡単な説明】
【００２４】
【図１】本発明によるＨＦアングルプラグコネクタの好適な実施形態の斜視図を示す。
【図２】図１に示された本発明によるＨＦアングルプラグコネクタの好適な実施形態の別の斜視図を示す。
【図３】図１に示された本発明によるＨＦアングルプラグコネクタの好適な実施形態の別の斜視図を示す。
【図４】図１に示された本発明によるＨＦアングルプラグコネクタの好適な実施形態について、点検口が開いており同軸ケーブルが装着されていない状態の部分的破断側面図を示す。
【図５】図１に示された本発明によるＨＦアングルプラグコネクタの好適な実施形態について、点検口が開いており同軸ケーブルが装着されていない状態の上面図を示す。
【図６】図１に示された本発明によるＨＦアングルプラグコネクタの好適な実施形態を、点検口が開いており同軸ケーブルの内側導体部品が装着された状態の部分的破断側面図で示す。
【図７】図１に示された本発明によるＨＦアングルプラグコネクタの好適な実施形態について、点検口が開いており同軸ケーブルの内側導体部品が装着された状態の上面図を示す。
【図８】図１に示された本発明によるＨＦアングルプラグコネクタの好適な実施形態を、点検口が閉じており同軸ケーブルの内側導体部品が装着された状態の部分的破断側面図で示す。
【図９】図１に示された本発明によるＨＦアングルプラグコネクタの好適な実施形態について、点検口が閉じており同軸ケーブルの内側導体部品が装着された状態の上面図を示す。
【図１０】図１に示された本発明によるＨＦアングルプラグコネクタの好適な実施形態についての断面図を示す。
【発明を実施するための形態】
【００２５】
以下では、図面を参照して発明をより詳細に説明する。
図１から１０に示された本発明によるＨＦアングルプラグコネクタの好適な実施形態は、外側導体部品１２と、内側導体部品１４と、外側導体部品１２に回転可能に配設されたコーディングハウジング１６とを備える。内側導体部品１４は、同軸ケーブル（不図示）の内側導体部品２０との機械的および電気的接続のための締結要素１８（図１０）を備える。
【００２６】
外側導体部品１２は、ＨＦアングルプラグコネクタに同軸ケーブルがプラグ接続されるように設計された同軸ケーブル側端部２２を有する。前面２４は、同軸ケーブル側端部２２の反対側のＨＦアングルプラグコネクタの端部に形成されている。前面２４は、同軸ケーブルの長手軸２６（図６）がこの前面２４を横断するように配設されている。
【００２７】
本発明によれば、点検口２８は、ＨＦアングルプラグコネクタに同軸ケーブルを完全に装着した後で内側導体部品１４または締結要素１８が見えるようにするために前面２４に形成されている。こうして、ＨＦアングルプラグコネクタへの同軸ケーブルの装着の後で、同軸ケーブルの内側導体部品２０がＨＦアングルプラグコネクタ内の正しい箇所に配置されて、同軸ケーブルの内側導体部品２０とＨＦアングルプラグコネクタの内側導体部品１４の締結要素１８との間に対応の電気的および機械的接触が確立されているかどうかを、装着中に視覚的にチェックすることが可能になる。
【００２８】
二つの曲げフラップ３０もまた、点検口２８に隣接した外側導体部品１２の前面２４に形成される。これらフラップ３０は、外側導体部品１２と一体に形成され、外側導体部品１２とフラップ３０とは単一の穿孔曲げ部品として製造されることが好ましい。各フラップ３０は、点検口２８の大きさの半分程度である。ＨＦアングルプラグコネクタへの同軸ケーブルの装着の後で、また内側導体部品１４の領域での正しい接触を確認するための点検の後で、図８および９に示されているようにフラップ３０を曲げるだけで点検口２８が簡単に閉じられる。
【００２９】
コーディングハウジング１６は、周知の方法で機械的コーディングが形成され、ＦＡＫＲＡ規格に従って設計されている。機械的コーディングは、ＨＦアングルプラグコネクタが、相補的なコーディングを持つ対応のコーディングハウジングを備える、いわば特定の相補的ＨＦプラグコネクタのみとプラグ接続されることを保証するためのものである。相補的なＨＦプラグコネクタとのプラグ接続の前にコーディングハウジング１６を予め位置決めするため、コーディングハウジング１６は外側導体部品１２に対して回転可能に配設される。コーディングハウジング１６を予め位置決めされた位置、特に望ましい位置に固定するため、弾性変形可能なスナップイン舌部３２がコーディングハウジング１６に設けられる。このスナップイン舌部３２は、予め位置決めされた位置に固定する抵抗によりコーディングハウジング１６の回転動作を妨げる。スナップイン舌部３２は、相補的なＨＦプラグコネクタがプラグ接続された後、コーディングハウジング１６が自由に回転できるように、相補的なＨＦプラグコネクタがＨＦアングルプラグコネクタにプラグ接続された時にスナップイン舌部３２がロック解除されるように配置および設計される。こうして、コーディングハウジングは、例えば相補的ＨＦプラグコネクタと接続された同軸ケーブルの他端部でのプラグ接続動作による、または作業によって生じる相補的ＨＦプラグコネクタと接続された同軸ケーブルの動きによる、相補的ＨＦプラグコネクタの動きに従う。
【００３０】
コーディングハウジングは、相補的プラグコネクタのコーディングハウジングとの機械的ロックのためのロック要素３４も有する。このロック要素３４はロッカーの形であり、図１０に示された延出位置では、ロッカー３４に沿って移動できるロッカーエクステンション３６が、このロック要素３４に配設されている。こうして、プラグインされた相補的なＨＦプラグコネクタをＨＦアングルプラグコネクタから再び引き抜くためにロッカー３４をロック解除するのに必要な対応の力が少なく済む、有効なてこが得られる。このロッカーエクステンション３６は、図１から９では最大限押し込まれている。
【図１】
0005276179.tif 000002
【図２】
0005276179.tif 000003
【図３】
0005276179.tif 000004
【図４】
0005276179.tif 000005
【図５】
0005276179.tif 000006
【図６】
0005276179.tif 000007
【図７】
0005276179.tif 000008
【図８】
0005276179.tif 000009
【図９】
0005276179.tif 000010
【図１０】
0005276179.tif 000011